(57)【要約】【課題】可視光域から近赤外域までの広い波長域で色収差を良好に補正することが可能な、高解像力を備えた大口径のズームレンズを提供する。【解決手段】このズームレンズは、物体側から順に、正の屈折力を有する第１レンズ群Ｇ1と、負の屈折力を有する第２レンズ群Ｇ2と、正の屈折力を有する第３レンズ群Ｇ3と、後続レンズ群と、が配置されて構成される。第３レンズ群Ｇ3は、２枚以上の負の屈折力を有するレンズを備えている。第１レンズ群Ｇ1を固定したまま、前記各レンズ群間の距離を相対的に変化させることで広角端から望遠端への変倍を行う。そして、所定の条件を満足することにより、高解像力を備えることができる。【選択図】図１
2020109430.tif 000002
【特許請求の範囲】
【請求項１】
物体側から順に配置された、正の屈折力を有する第１レンズ群と、負の屈折力を有する第２レンズ群と、正の屈折力を有する第３レンズ群と、後続レンズ群と、を備え、
前記第３レンズ群は、１枚以上の正の屈折力を有するレンズと、２枚以上の負の屈折力を有するレンズと、を含み構成され、
前記第１レンズ群を固定したまま、前記各レンズ群間の距離を相対的に変化させることで広角端から望遠端への変倍を行い、
以下に示す条件式を満足することを特徴とするズームレンズ。
（１）  νｄ＿３ｎｍａｘ≧４８．０
（２）  νｄ＿３ｐａｖｅ≧６５．０
（３）  −７．４≦ｆ１／ｆ２≦−２．０
ただし、νｄ＿３ｎｍａｘは前記第３レンズ群に含まれるすべての負の屈折力を有するレンズのｄ線におけるアッベ数の中で最大となる値、νｄ＿３ｐａｖｅは前記第３レンズ群に含まれるすべての正の屈折力を有するレンズのｄ線におけるアッベ数の平均値、ｆ１は、前記第１レンズ群の焦点距離、ｆ２は前記第２レンズ群の焦点距離を示す。
【請求項２】
前記第３レンズ群は、以下に示す条件式をともに満足する負の屈折力を有するレンズを少なくとも１枚備えていることを特徴とする請求項１に記載のズームレンズ。
（４）  νｄ＿３ｎ≧４８．０
（５）  −２．７４≦ｆ３ｎ／ｆｒｗ≦−０．５５
ただし、νｄ＿３ｎは前記第３レンズ群に含まれる負の屈折力を有するレンズのｄ線におけるアッベ数、ｆ３ｎは前記第３レンズ群に含まれる負の屈折力を有するレンズの焦点距離、ｆｒｗは前記第２レンズ群より像側に配置されたすべてのレンズ群の広角端における合成焦点距離を示す。
【請求項３】
以下に示す条件式を満足することを特徴とする請求項１または請求項２に記載のズームレンズ。
（６）  １．２４≦ｆ３／ｆｗ≦７．４０
ただし、ｆ３は前記第３レンズ群の焦点距離、ｆｗは広角端における光学系全系の焦点距離を示す。
【請求項４】
前記第１レンズ群は２枚以上の正の屈折力を有するレンズを含み構成され、
以下に示す条件式を満足することを特徴とする請求項１〜３のいずれか一つに記載のズームレンズ。
（７）  νｄ＿１ｐａｖｅ≧６５．０
ただし、νｄ＿１ｐａｖｅは前記第１レンズ群に含まれるすべての正の屈折力を有するレンズのｄ線におけるアッベ数の平均値を示す。
【請求項５】
以下に示す条件式を満足することを特徴とする請求項１〜４のいずれか一つに記載のズームレンズ。
（８）  ０．１９≦ｆｗ／ｆｒｗ≦１．２５
ただし、ｆｗは広角端における光学系全系の焦点距離、ｆｒｗは前記第２レンズ群より像側に配置されたすべてのレンズ群の広角端における合成焦点距離を示す。
【請求項６】
以下に示す条件式を満足することを特徴とする請求項１〜５のいずれか一つに記載のズームレンズ。
（９）  θｇＦ＿１ｎ≦０．６２２
ただし、θｇＦ＿１ｎは前記第１レンズ群に含まれるすべての負の屈折力を有するレンズのｇ線からＦ線の部分分散比の中で最大となる値を示す。
【請求項７】
請求項１〜６のいずれか一つに記載のズームレンズと、該ズームレンズによって形成された光学像を電気的信号に変換する固体撮像素子と、を備えたことを特徴とする撮像装置。
【発明の詳細な説明】
【技術分野】
【０００１】
本発明は、ズームレンズおよび撮像装置に関し、特にＣＣＤ（Ｃｈａｒｇｅ Ｃｏｕｐｌｅｄ Ｄｅｖｉｃｅ）やＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）等の固体撮像素子が搭載された撮像装置に好適なズームレンズ、およびこのズームレンズを備えた撮像装置に関する。
【背景技術】
【０００２】
デジタルスチルカメラやデジタルビデオカメラ等の固体撮像素子を用いた撮像装置が広く普及している。近年、ＣＣＤやＣＯＭＳ等の固体撮像素子の高画素化、高感度化が進んだことに伴い、撮像装置に搭載される撮像レンズにも、被写体のより細かな特徴を確認することが可能な解像度の高いズームレンズが要求されている。
【０００３】
従来より、物体側から像側へ順に、正の屈折力を有する第１レンズ群と、負の屈折力を有する第２レンズ群と、正の屈折力を有する第３レンズ群と、後続レンズ群と、を備えて構成され、第１レンズ群を固定したまま、前記各レンズ群間の距離を相対的に変化させることで広角端から望遠端への変倍を行うズームレンズが各種提案されている（たとえば、特許文献１，２を参照。）。
【先行技術文献】
【特許文献】
【０００４】
【特許文献１】特開２０１４−０５６０５６号公報
【特許文献２】特開２００２−３６５５３９号公報
【発明の概要】
【発明が解決しようとする課題】
【０００５】
高画素化、高感度化が進んだ固体撮像素子が搭載された撮像装置には、特に、Ｆ線からＣ線まではもちろんのこと、ｇ線まで含めた広い波長域で色収差を良好に補正することが可能な撮像レンズがこれまで以上に求められる。加えて、監視カメラに用いる撮像レンズの場合、低照度環境下での撮影を可能にするため大口径であることや、夜間における近赤外光での撮影を可能にするため、近赤外の波長域で発生する色収差も良好に補正されることが必要である。
【０００６】
上記各特許文献に記載されたタイプのズームレンズでは、広角端から望遠端の全域でｇ線から近赤外域で発生する軸上色収差を良好に補正するために、全変倍域で軸上の光束が高いところを通過する第３レンズ群における色収差補正能力が特に重要である。
【０００７】
特許文献１には、物体側から像側へ順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、が配置された構成で、変倍比が３．３程度、広角端のＦナンバーが１．４程度の大口径で比較的高解像のズームレンズが記載されている。
【０００８】
しかしながら、特許文献１に記載のズームレンズでは、第３レンズ群の負の屈折力を有するレンズにアッベ数が１７〜１９程度の小さい硝材を用いているため、広角端においてマージナル光線のｇ線領域で発生する軸上色収差の補正が大幅に過剰となる、全変倍域において近赤外域で発生する軸上色収差の補正が不足するという問題がある。なお、このズームレンズにおいて、仮に第３レンズ群の負の屈折力を有するレンズにアッベ数が大きい硝材を用いた場合でも、当該第３レンズ群には負の屈折力を有するレンズが１枚しか存在しないため、Ｆ線からＣ線の波長域で発生する軸上色収差の補正も不足することになる。
【０００９】
また、特許文献２には、物体側から像側へ順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、が配置された構成で、変倍比が４．８程度、広角端のＦナンバーが２．０程度であるズームレンズが記載されている。
【００１０】
しかしながら、特許文献２に記載のズームレンズでは、第３レンズ群の負の屈折力を有するレンズにアッベ数が２４程度の小さい硝材を用い、当該第３レンズ群の正の屈折力を有するレンズにアッベ数が５３程度とあまり大きくない硝材を用いているため、全変倍域において近赤外域で発生する軸上色収差の補正が不足するという問題がある。加えて、高解像レンズとして用いるには、Ｆ線からＣ線の波長域で発生する軸上色収差の補正も不足する。
【００１１】
本発明は、上述した従来技術による問題点を解消するため、可視光域から近赤外域までの広い波長域で色収差を良好に補正することが可能な、高解像力を備えた大口径のズームレンズを提供することを目的とする。さらに、可視光域から近赤外域までの広い波長域 の光に対して高い解像力を備えた高性能な撮像装置を提供することを目的とする。
【課題を解決するための手段】
【００１２】
上述した課題を解決し、目的を達成するため、本発明にかかるズームレンズは、物体側から順に配置された、正の屈折力を有する第１レンズ群と、負の屈折力を有する第２レンズ群と、正の屈折力を有する第３レンズ群と、後続レンズ群と、を備え、前記第３レンズ群は、１枚以上の正の屈折力を有するレンズと、２枚以上の負の屈折力を有するレンズと、を含み構成され、前記第１レンズ群を固定したまま、前記各レンズ群間の距離を相対的に変化させることで広角端から望遠端への変倍を行い、以下に示す条件式を満足することを特徴とする。
（１）  νｄ＿３ｎｍａｘ≧４８．０
（２）  νｄ＿３ｐａｖｅ≧６５．０
（３）  −７．４≦ｆ１／ｆ２≦−２．０
ただし、νｄ＿３ｎｍａｘは前記第３レンズ群に含まれるすべての負の屈折力を有するレンズのｄ線におけるアッベ数の中で最大となる値、νｄ＿３ｐａｖｅは前記第３レンズ群に含まれるすべての正の屈折力を有するレンズのｄ線におけるアッベ数の平均値、ｆ１は、前記第１レンズ群の焦点距離、ｆ２は前記第２レンズ群の焦点距離を示す。
【００１３】
本発明によれば、可視光域から近赤外域までの広い波長域で色収差を良好に補正することが可能な、高解像力を備えた大口径のズームレンズを提供することができる。
【００１４】
また、本発明にかかる撮像装置は、前記発明におけるズームレンズと、該ズームレンズによって形成された光学像を電気的信号に変換する固体撮像素子と、を備えたことを特徴とする。
【００１５】
本発明によれば、可視光域から近赤外域までの広い波長域の光に対して高い解像力を備えた高性能の撮像装置を提供することができる。
【発明の効果】
【００１６】
本発明によれば、可視光域から近赤外域までの広い波長域で色収差を良好に補正することが可能な、高解像力を備えた大口径のズームレンズを提供することができるという効果を奏する。さらに、本発明によれば、可視光域から近赤外域までの広い波長域の光に対して高い解像力を備えた高性能の撮像装置を提供することができるという効果を奏する。
【図面の簡単な説明】
【００１７】
【図１】実施例１にかかるズームレンズの構成を示す光軸に沿う断面図である。
【図２】実施例１にかかるズームレンズの諸収差図である。
【図３】実施例２にかかるズームレンズの構成を示す光軸に沿う断面図である。
【図４】実施例２にかかるズームレンズの諸収差図である。
【図５】実施例３にかかるズームレンズの構成を示す光軸に沿う断面図である。
【図６】実施例３にかかるズームレンズの諸収差図である。
【図７】実施例４にかかるズームレンズの構成を示す光軸に沿う断面図である。
【図８】実施例４にかかるズームレンズの諸収差図である。
【図９】実施例５にかかるズームレンズの構成を示す光軸に沿う断面図である。
【図１０】実施例５にかかるズームレンズの諸収差図である。
【図１１】実施例６にかかるズームレンズの構成を示す光軸に沿う断面図である。
【図１２】実施例６にかかるズームレンズの諸収差図である。
【図１３】実施例７にかかるズームレンズの構成を示す光軸に沿う断面図である。
【図１４】実施例７にかかるズームレンズの諸収差図である。
【図１５】本発明にかかるズームレンズを備えた撮像装置の一例を示す図である。
【発明を実施するための形態】
【００１８】
以下、本発明にかかるズームレンズおよび撮像装置の好適な実施の形態を詳細に説明する。
【００１９】
高画素、高感度化が進んだ固体撮像素子を備えた撮像装置では、特に、Ｆ線（４８６．１ｎｍ）からＣ線（６５６．３ｎｍ）まではもちろんのこと、ｇ線（４３５．８ｎｍ）まで含めた広い波長域で色収差を良好に補正することが可能な撮像レンズがこれまで以上に求められる。そこで、本発明では、高画素、高感度化が進んだ固体撮像素子を備えた撮像装置であっても画質の低下を招くことがない、高性能なズームレンズを提供しようとするものである。特に、監視カメラ等昼夜を問わず使用される撮像装置にも用いることができるように、可視光域から近赤外域までの広い波長域で発生する色収差を良好に補正することが可能な、高解像力を備えた大口径のズームレンズを提供することを目的としている。そこで、かかる目的を達成するべく、本発明では、以下に示すような各種条件を設定している。
【００２０】
本発明にかかるズームレンズは、物体側から順に、正の屈折力を有する第１レンズ群と、負の屈折力を有する第２レンズ群と、正の屈折力を有する第３レンズ群と、後続レンズ群と、を備えて構成される。
【００２１】
第３レンズ群は、１枚以上の正の屈折力を有するレンズと、２枚以上の負の屈折力を有するレンズと、を含み構成されることが好ましい。第３レンズ群に負の屈折力を有するレンズを２枚以上備えることで、球面収差、コマ収差、軸上色収差を良好に補正することができ、大口径化が可能になる。さらに、第３レンズ群を、２枚以上の正の屈折力を有するレンズを含み構成すれば、第３レンズ群の正の屈折力を複数のレンズで分担できるようになり、特に広角端における球面収差、コマ収差、軸上色収差を良好に補正することができるため、より好ましい。
【００２２】
また、本発明にかかるズームレンズでは、第１レンズ群を固定したまま、各レンズ群間の距離を相対的に変化させることで広角端から望遠端への変倍を行う。第１レンズ群は、特に望遠端における解像性能への影響が大きいため、製造時に偏芯量が増えると望遠端において大幅な解像力の低下を招くおそれがある。そこで、第１レンズ群を固定群にした方が、第１レンズ群の機構を簡素化できるうえ、製造時の偏芯量を抑制し、解像力の低下を防止することができるので、好ましい。
【００２３】
本発明のような、物体側から順に、正の屈折力を有する第１レンズ群と、負の屈折力を有する第２レンズ群と、正の屈折力を有する第３レンズ群と、後続レンズ群と、を配置し、広角端から望遠端への変倍時に第１レンズ群が固定されるズームレンズでは、全変倍域においてｇ線から近赤外までの波長域で発生する軸上色収差を良好に補正するために、全変倍域で軸上の光束が高いところを通過する第３レンズ群における色収差の補正能力が特に重要となる。
【００２４】
そこで、本発明にかかるズームレンズでは、第３レンズ群に含まれるすべての負の屈折力を有するレンズのｄ線（５８７．６ｎｍ）におけるアッベ数の中で最大となる値をνｄ＿３ｎｍａｘとするとき、次の条件式を満足することが好ましい。
（１）  νｄ＿３ｎｍａｘ≧４８．０
【００２５】
条件式（１）は第３レンズ群に含まれるすべての負の屈折力を有するレンズのｄ線におけるアッベ数の中で最大となる値を規定する式である。条件式（１）を満足することで、可視域から近赤外域までの広い波長域で発生する軸上色収差を良好に補正することができる。
【００２６】
アッベ数の小さい硝材は高分散であるため、色収差の補正能力が高く、Ｆ線からＣ線の波長域で発生する色収差は補正しやすい。しかしながら、Ｆ線とＣ線の波長域で発生する色収差を補正したうえで、さらにｇ線と近赤外までの波長域で発生する色収差も補正するためには、正の屈折力を有するレンズと負の屈折力を有するレンズの間でθｇＦ（ｇ線からＦ線の部分分散比）、θＣｔ（Ｃ線からｔ線（１０１４．０ｎｍ）の部分分散比）がそれぞれ近い値である方がよい。ただ、一般にアッベ数の小さい硝材はθｇＦの値が大きくθＣｔの値が小さい傾向にあり、負の屈折力を有するレンズにアッベ数が小さい硝材を用いた場合、正の屈折力を有するレンズと負の屈折力を有するレンズ間でθｇＦ、θＣｔが近い値をとることが困難になるため、ｇ線と近赤外までの波長域で発生する軸上色収差を良好に補正することが困難になる。
【００２７】
なお、ｇ線からＦ線の部分分散比θｇＦ、Ｃ線からｔ線の部分分散比θＣｔは以下の式で定義される。
θｇＦ＝（ｎｇ−ｎＦ）／（ｎＦ−ｎＣ）
（ただし、ｎｇはｇ線における屈折率、ｎＦはＦ線における屈折率、ｎＣはＣ線における屈折率を示す）
θＣｔ＝（ｎＣ−ｎｔ）／（ｎＦ−ｎＣ）
（ただし、ｎＣはＣ線における屈折率、ｎｔはｔ線における屈折率、ｎＦはＦ線における屈折率を示す）
【００２８】
もし、第３レンズ群に負の屈折力を有するレンズが１枚しか存在しない場合、負の屈折力を有するレンズに色収差の補正能力が高いアッベ数の小さい硝材、すなわち高分散の硝材を用いないと、Ｆ線からＣ線までの波長域で発生する軸上色収差の補正が不足する。しかしながら、本発明のズームレンズでは、第３レンズ群に負の屈折力を有するレンズを２枚以上備えることで、条件式（１）を満たすアッベ数が大きい硝材、すなわち低分散の硝材を負の屈折力を有するレンズに用いたとしても、Ｆ線からＣ線までの波長域で発生する軸上色収差を良好に補正することが可能になる。
【００２９】
条件式（１）においてその下限を下回ると、軸上色収差を良好に補正することが難しくなり、特に広角端におけるｇ線と近赤外の波長域で発生する軸上色収差を良好に補正することが困難になる。
【００３０】
なお、上記条件式（１）の下限値は、好ましくは、５０．０以上、より好ましくは５１．０以上、さらに好ましくは５２．０以上になるように設定するとよい。条件式（１）の上限値を設定する場合は、１００以下であることがよく、より好ましくは９０以下、さらに好ましくは８０以下であるとよい。上限を上回ると、軸上色収差と倍率色収差の補正能力が弱まり、軸上色収差と倍率色収差を良好に補正することが困難になるため好ましくない。
【００３１】
本発明にかかるズームレンズでは、第３レンズ群に含まれるすべての正の屈折力を有するレンズのｄ線におけるアッベ数の平均値をνｄ＿３ｐａｖｅとするとき、次の条件式を満足することが好ましい。
（２）  νｄ＿３ｐａｖｅ≧６５．０
【００３２】
条件式（２）は、第３レンズ群に含まれるすべての正の屈折力を有するレンズのｄ線におけるアッベ数の平均値を規定する式である。条件式（２）を満足することで、可視域から近赤外域までの広い波長域で発生する軸上色収差を良好に補正することができる。アッベ数の大きい硝材は低分散であるため、アッベ数の大きい硝材からなるレンズを用いれば色収差の発生を抑制することができる。
【００３３】
条件式（２）においてその下限を下回ると、軸上色収差を良好に補正することが難しくなり、特に広角端におけるｇ線と近赤外の波長域で発生する軸上色収差を良好に補正することが困難になる。
【００３４】
なお、上記条件式（２）の下限値は、好ましくは６７．０以上になるように設定するとよい。アッベ数が大きいほど色収差の補正に有効であることから、上限は設定する必要はないが、現存する硝材のアッベ数は１００程度である。また、アッベ数の大きい硝材は加工が困難な傾向にあるため、レンズの加工性を考慮した場合は、上記条件式（２）の上限値は１００以下であることがよく、より好ましくは９０以下であるとよい。
【００３５】
本発明にかかるズームレンズでは、第１レンズ群の焦点距離をｆ１、第２レンズ群の焦点距離をｆ２とするとき、次の条件式を満足することが好ましい。
（３）  −７．４≦ｆ１／ｆ２≦−２．０
【００３６】
条件式（３）は、第２レンズ群の焦点距離に対する第１レンズ群の焦点距離の比を規定する式である。条件式（３）を満足することで、可視域から近赤外域までの広い波長域で発生する軸上色収差を良好に補正することができるとともに、大口径化も可能になる。
【００３７】
条件式（３）においてその下限を下回ると、第１レンズ群に対する第２レンズ群の負の屈折力が強くなりすぎて、望遠端においてｇ線の波長域で発生する軸上色収差の補正が過剰になるおそれが生じ、好ましくない。また、第３レンズ群の正の屈折力が強まりやすいため、広角端における球面収差、コマ収差の補正も難しくなり、大口径にすることが困難になる。一方、条件式（３）においてその上限を超えると、第２レンズ群に対する第１レンズ群の正の屈折力が強くなりすぎて、望遠端において近赤外の波長域で発生する軸上色収差の補正が不足するおそれが生じ、好ましくない。また、望遠端における球面収差、コマ収差の補正も難しくなり、大口径化が困難になる。
【００３８】
なお、上記条件式（３）の下限値は、好ましくは−７．０以上、より好ましくは−６．７以上、さらに好ましくは−６．３以上になるように設定するとよい。一方、上記条件式（３）の上限値は、好ましくは−２．３以下、より好ましくは−２．７以下、さらに好ましくは−３．０以下になるように設定するとよい。
【００３９】
本発明にかかるズームレンズでは、第３レンズ群に含まれる負の屈折力を有するレンズのｄ線におけるアッベ数をνｄ＿３ｎとし、第３レンズ群に含まれる負の屈折力を有するレンズの焦点距離をｆ３ｎ、第２レンズ群より像側に配置されたすべてのレンズ群の広角端における合成焦点距離をｆｒｗとするとき、第３レンズ群は次の条件式を同時に満足する負の屈折力を有するレンズを少なくとも１枚備えていることが好ましい。
（４）  νｄ＿３ｎ≧４８．０
（５）  −２．７４≦ｆ３ｎ／ｆｒｗ≦−０．５５
【００４０】
条件式（４）は、第３レンズ群に含まれる負の屈折力を有するレンズのｄ線におけるアッベ数を規定する式であり、条件式（５）は、第２レンズ群より像側に配置されたすべてのレンズ群の広角端における合成焦点距離に対する第３レンズ群に含まれる負の屈折力を有するレンズの焦点距離の比を規定する式である。第３レンズ群中に、条件式（４）と条件式（５）を同時に満足する負の屈折力を有するレンズが少なくとも１枚存在することで、可視域から近赤外域までの広い波長域で発生する軸上色収差を良好に補正することが可能になる。
【００４１】
ここで、第２レンズ群より像側に配置されたすべてのレンズ群の合成焦点距離とは、たとえば５群構成のズームレンズである場合は、第３レンズ群から第５レンズ群の合成焦点距離のことを意味し、６群構成のズームレンズである場合は、第３レンズ群から第６レンズ群の合成焦点距離のことを意味する。また、第３レンズ群に含まれる負の屈折力を有するレンズの焦点距離は、それが接合レンズである場合、レンズ両側の媒質を空気として計算するものとする。
【００４２】
条件式（４）においてその下限を下回ると、軸上色収差を良好に補正することが難しくなり、特に広角端におけるｇ線と近赤外の波長域で発生する軸上色収差を良好に補正することが困難になる。
【００４３】
条件式（５）においてその下限を下回ると、第３レンズ群に含まれる当該負の屈折力を有するレンズの負の屈折力が弱くなりすぎて、軸上色収差を良好に補正することが難しくなり、特に広角端におけるｇ線と近赤外の波長域で発生する軸上色収差を良好に補正することが困難になる。加えて、球面収差、コマ収差の補正も困難になる。一方、条件式（５）においてその上限を超えると、第３レンズ群に含まれる当該負の屈折力を有するレンズの負の屈折力が強くなりすぎて、軸上色収差を良好に補正することが難しくなり、特に広角端におけるｇ線の波長域で発生する軸上色収差の補正が過剰になるおそれがある。また、球面収差、コマ収差の補正も困難になる。
【００４４】
なお、上記条件式（４）の下限値は、好ましくは５１．０以上になるように設定するとよい。条件式（４）の上限値を設定する場合は、上限値は、１００以下であることがよく、より好ましくは９０以下、さらに好ましくは８０以下であるとよい。上限を上回ると、軸上色収差と倍率色収差の補正能力が弱まり、軸上色収差と倍率色収差を良好に補正することが困難になるため、好ましくない。
【００４５】
なお、上記条件式（５）の下限値は、好ましくは−２．５３以上、より好ましくは−２．３２以上になるように設定するとよい。一方、上記条件式（５）の上限値は、好ましくは−０．６２以下、より好ましくは−０．６８以下になるように設定するとよい。
【００４６】
さらに、本発明にかかるズームレンズでは、第３レンズ群の焦点距離をｆ３、広角端における光学系全系の焦点距離をｆｗとするとき、次の条件式を満足することが好ましい。
（６）  １．２４≦ｆ３／ｆｗ≦７．４０
【００４７】
条件式（６）は、広角端における光学系全系の焦点距離に対する第３レンズ群の焦点距離の比を規定する式である。条件式（６）を満足することで、高い解像性能を維持しながら、大口径化が可能になる。
【００４８】
条件式（６）においてその下限を下回ると、第３レンズ群の屈折力が強くなりすぎて、広角端における球面収差、コマ収差の補正が困難になり、大口径化が難しくなる。また、広角端における軸上色収差の補正も困難になるため、好ましくない。一方、条件式（６）においてその上限を上回ると、第３レンズ群の屈折力が弱くなりすぎて、第３レンズ群より像側にある後続レンズ群で、強い正の屈折力が必要となるため、全変倍域において像面の変動を抑制することが困難になり、画面周辺部の解像性能が劣化する原因となるため、好ましくない。
【００４９】
なお、上記条件式（６）の下限値は、好ましくは１．３３以上、より好ましくは１．４１以上になるように設定するとよい。一方、上記条件式（６）の上限値は、好ましくは６．９０以下、より好ましくは６．４０以下になるように設定するとよい。
【００５０】
また、本発明にかかるズームレンズでは、第１レンズ群が２枚以上の正の屈折力を有するレンズを含み構成されていることが好ましい。このようにすることで、第１レンズ群の正の屈折力を複数のレンズで分担できるようになり、特に望遠端における球面収差、コマ収差、軸上色収差を良好に補正することが可能になる。
【００５１】
本発明にかかるズームレンズでは、第１レンズ群に含まれるすべての正の屈折力を有するレンズのｄ線におけるアッベ数の平均値をνｄ＿１ｐａｖｅとするとき、次の条件式を満足することが好ましい。
（７）  νｄ＿１ｐａｖｅ≧６５．０
【００５２】
条件式（７）は、第１レンズ群に含まれるすべての正の屈折力を有するレンズのｄ線におけるアッベ数の平均値を規定する式である。条件式（７）を満足することで、可視域から近赤外域までの広い波長域で軸上色収差を良好に補正することができる。アッベ数の大きい硝材は低分散であるため、アッベ数の大きい硝材からなるレンズを用いれば色収差の発生を効果的に抑制することができる。
【００５３】
条件式（７）においてその下限を下回ると、第１レンズ群において軸上色収差の発生が顕著になり、特に望遠端におけるｇ線と近赤外の波長域で発生する軸上色収差を良好に補正することが困難になる。
【００５４】
なお、上記条件式（７）の下限値は、好ましくは６７．０以上になるように設定するとよい。アッベ数が大きいほど色収差の補正に有効であることから、上限は設定する必要はないが、現存する硝材のアッベ数は１００程度である。また、アッベ数の大きい硝材は加工が困難な傾向にあるため、レンズの加工性を考慮した場合は、上記条件式（７）の上限値は１００以下であることがよく、より好ましくは９０以下であるとよい。
【００５５】
本発明にかかるズームレンズでは、広角端における光学系全系の焦点距離をｆｗ、第２レンズ群より像側に配置されたすべてのレンズ群の広角端における合成焦点距離をｆｒｗとするとき、次の条件式を満足することが好ましい。
（８）  ０．１９≦ｆｗ／ｆｒｗ≦１．２５
【００５６】
条件式（８）は、第２レンズ群より像側に配置されたすべてのレンズ群の広角端における合成焦点距離に対する広角端における光学系全系の焦点距離の比を規定する式である。
条件式（８）を満足することで、高い解像性能を維持しながら、大口径化が可能になる。
【００５７】
条件式（８）においてその下限を下回ると、第２レンズ群より像側に位置するレンズ群の広角端における合成屈折力が弱くなりすぎて、第１レンズ群と第２レンズ群の屈折力がそれぞれ強まりやすくなり、望遠端における球面収差、コマ収差の補正が困難になるため、好ましくない。また、望遠端においてｇ線から近赤外の波長域で発生する軸上色収差を良好に補正することが困難になる。一方、条件式（８）においてその上限を上回ると、第２レンズ群より像側に位置するレンズ群の広角端における合成屈折力が強くなりすぎて、第３レンズ群の正の屈折力が強まりやすくなり、広角端における球面収差、コマ収差の補正が困難になり、大口径化が難しくなる。また、広角端における軸上色収差の補正も困難になるため、好ましくない。
【００５８】
なお、上記条件式（８）の下限値は、好ましくは０．２２以上、より好ましくは０．２６以上、さらに好ましくは０．３１以上になるように設定するとよい。一方、上記条件式（８）の上限値は、好ましくは１．０５以下、より好ましくは０．９０以下、さらに好ましくは０．７５以下になるように設定するとよい。
【００５９】
本発明にかかるズームレンズでは、第１レンズ群に含まれるすべての負の屈折力を有するレンズのｇ線からＦ線の部分分散比の中で最大となる値をθｇＦ＿１ｎとするとき、次の条件式を満足することが好ましい。
（９）  θｇＦ＿１ｎ≦０．６２２
【００６０】
条件式（９）は、第１レンズ群中のすべての負の屈折力を有するレンズのｇ線からＦ線の部分分散比の中で最大となる値を規定するものである。条件式（９）を満足することで、ｇ線の波長域で発生する軸上色収差を良好に補正することができる。
【００６１】
条件式（９）においてその上限を超えると、特に望遠端においてｇ線の波長域で発生する軸上色収差の補正が困難になるため、好ましくない。なお、条件式（９）の下限値を設定する場合は、０．５２０以上であることが好ましい。条件式（９）の下限を下回ると、ｇ線の波長域で発生する軸上色収差を良好に補正することが困難になるため、好ましくない。
【００６２】
本発明にかかるズームレンズでは、第１レンズ群から第３レンズ群、および第３レンズ群より像側に後続レンズ群を備えていればよく、後続レンズ群を構成するレンズ群の数やパワー配置は特に限定されるものではない。しかしながら、５群構成以上であれば、第５レンズ群以降のレンズで全変倍域において像面の変動を抑制でき、画面周辺部の解像性能を良好に維持することが容易になる。
【００６３】
また、広角端から望遠端への変倍の際の第３レンズ群の動作については特に限定されるものではなく、第３レンズ群は光軸方向へ移動しない固定群であってもよいし、光軸方向へ移動させる移動群であってもよい。しかしながら、第３レンズ群は、解像性能への影響が大きいため、製造時に偏芯量が増えると大幅な解像力の低下を招くという問題がある。そこで、第３レンズ群を固定群とすれば、当該第３レンズ群の機構を簡素化できるうえ、製造時の偏芯量を抑制して、解像力の低下を防止することができるため、より好ましい。
【００６４】
また、第３レンズ群の負レンズは２枚が好ましい。第３レンズ群は負の屈折力を有するレンズを２枚以上含んでいれば問題ないが、２枚であればより好ましい。第３レンズ群に負の屈折力を有するレンズが３枚以上ある場合、第３レンズ群中の負の屈折力が強まりやすく、第３レンズ群の正の屈折力を保とうとすればその分正の屈折力も強くしなければならず、球面収差、コマ収差、軸上色収差の補正が難しくなるおそれが生じる。
【００６５】
また、第４レンズ群を正の屈折力を有する群にした場合、第３レンズ群の正の屈折力を弱めることができるため、球面収差、コマ収差、軸上色収差の補正がしやすくなり、大口径化の点でも有利である。
【００６６】
第４レンズ群が正の屈折力を有する場合、第４レンズ群より像側に位置する後続レンズ群の合成屈折力（５群構成の場合は第５群の屈折力）は正でも負でも構わないが、弱い屈折力をもたせることが好ましい。第４レンズ群より像側に位置する後続レンズ群の合成屈折が強い正の屈折力であると、全変倍域において像面の変動を抑制することが困難になって、画面周辺部の解像性能が劣化しやすくなるため、好ましくない。一方、第４レンズ群より像側に位置する後続レンズ群の合成屈折が強い負の屈折力をもつ場合、第３レンズ群と第４レンズ群の正の屈折力が強まりやすく、球面収差、コマ収差、軸上色収差の補正が難しくなる。また、大口径化も困難になる。
【００６７】
また、第４レンズ群が負の屈折力を有する場合、その具体的なレンズ構成は特に限定されない。ただ、第４レンズ群を単一の硝材からなる単レンズまたは複数の硝材のレンズを組み合わせた接合レンズ等の空気間隔を有しない一つのレンズ成分で構成することが好ましい。第４レンズ群をこのように構成すれば、少ないレンズ枚数で第４レンズ群を構成することが容易となり、第４レンズ群の小型化、軽量化を図ることが容易になる。たとえば、第４レンズ群をフォーカス群として使用した場合にはフォーカス群の小型化、軽量化を図ることができる。この結果、迅速なフォーカシング動作が可能になる。
【００６８】
また、第４レンズ群が負の屈折力を有する場合、第４レンズ群よりも像側に位置する後続レンズ群は、全体として正の屈折力を有する限り、その具体的なレンズ構成は特に限定されるものではない。当該後続レンズ群は一つのレンズ群から構成されてもよいし、複数のレンズ群から構成されてもよい。
【００６９】
以上説明したように、本発明は、高画素、高感度化が進んだ固体撮像素子を備えた撮像装置であっても画質の低下を招くことがない、高性能なズームレンズを実現することができる。加えて、上記条件式を満足することにより、可視光域から近赤外域までの広い波長域で色収差を良好に補正することが可能な、高解像力を備えた大口径のズームレンズを提供することができる。
【００７０】
このような特徴を備えた本発明にかかるズームレンズは、主に可視光域の光を用いるビデオカメラはもとより、夜間撮影も行う監視カメラ等、様々な撮像装置に用いることができる。
【００７１】
たとえば、上記構成を備えた本発明にかかるズームレンズを、このズームレンズによって形成された光学画像を電気的信号に変換する固体撮像素子とともに備えて撮像装置を構成すれば、可視光域から近赤外域までの広い波長域の光に対して高い解像力を備えた高性能の撮像装置を実現することができる。
【００７２】
以下、本発明にかかるズームレンズの実施例を図面に基づき詳細に説明する。なお、以下の実施例により本発明が限定されるものではない。
【実施例１】
【００７３】
図１は、実施例１にかかるズームレンズの構成を示す光軸に沿う断面図である。同図は、光学系の広角端の状態を示している。このズームレンズは、図示しない物体側から順に、正の屈折力を有する第１レンズ群Ｇ1と、負の屈折力を有する第２レンズ群Ｇ2と、正の屈折力を有する第３レンズ群Ｇ3と、正の屈折力を有する第４レンズ群Ｇ4と、負の屈折力を有する第５レンズ群Ｇ5と、が配置されて構成される。第２レンズ群Ｇ2と第３レンズ群Ｇ3との間には、所定の口径を規定する開口絞りＳＴＯＰが配置されている。第５レンズ群Ｇ5と像面ＩＭＧとの間には、カバーガラスＣＧが配置されている。カバーガラスＣＧは、必要に応じて配置される。本実施例における後続レンズ群は、第４レンズ群Ｇ4から第５レンズ群Ｇ5を指す。
【００７４】
第１レンズ群Ｇ1は、物体側から順に、物体に凸面を向けた負メニスカスレンズＬ11と、両凸正レンズＬ12と、正メニスカスレンズＬ13と、が配置されて構成される。負メニスカスレンズＬ11と両凸正レンズＬ12とは、接合されている。
【００７５】
第２レンズ群Ｇ2は、物体側から順に、両凹負レンズＬ21と、両凹負レンズＬ22と、両凸正レンズＬ23と、が配置されて構成される。両凹負レンズＬ21の両面には、非球面が形成されている。
【００７６】
第３レンズ群Ｇ3は、物体側から順に、両凸正レンズＬ31と、像面ＩＭＧに凸面を向けた負メニスカスレンズＬ32と、両凸正レンズＬ33と、両凹負レンズＬ34と、が配置されて構成される。両凸正レンズＬ31の両面には、非球面が形成されている。両凸正レンズＬ33と両凹負レンズＬ34とは、接合されている。
【００７７】
第４レンズ群Ｇ4は、物体側から順に、両凸正レンズＬ41と、両凸正レンズＬ42と、両凹負レンズＬ43と、が配置されて構成される。両凸正レンズＬ41の両面には、非球面が形成されている。
【００７８】
第５レンズ群Ｇ5は、物体側から順に、物体に凸面を向けた負メニスカスレンズＬ51と、物体に凸面を向けた正メニスカスレンズＬ52と、が配置されて構成される。
【００７９】
本実施例のズームレンズでは、第２レンズ群Ｇ2を光軸に沿って物体側から像面ＩＭＧ側へ単調に移動させることによって、広角端から望遠端への変倍を行う。また、変倍に伴う焦点位置の補正および合焦は、第４レンズ群Ｇ4を光軸に沿って物体側に凸の軌跡を描くように移動させることによって行う（以上、図中の実線矢印を参照）。第１レンズ群Ｇ1、開口絞りＳＴＯＰ、第３レンズ群Ｇ3、第５レンズ群Ｇ5は、常時固定されている。
【００８０】
以下、実施例１にかかるズームレンズに関する各種数値データ（光学諸元表）を示す。各種数値データにおいて、Ｓは面番号（物体側から像面側への面の順番）、ｒはレンズ、開口絞り面などの曲率半径（ｍｍ）、ｄはレンズ肉厚または空気間隔（ｍｍ）、ｎｄはレンズなどのｄ線（５８７．６ｎｍ）における屈折率、νｄはレンズなどのｄ線におけるアッベ数、θｇＦはｇ線（４３５．８ｎｍ）からＦ線（４８６．１ｎｍ）の部分分散比を示している。面番号に＊を付した面は非球面を示している。なお、曲率半径の符号は、物体側に凸面を向けた場合を正とする。非球面係数において「Ｅ−ｎ」は『×１０-n』を表している。また、光学系全系の焦点距離ｆ（ｍｍ）、ＦナンバーＦＮｏ、画角２ω（°）、像高（ｍｍ）、光学系全長（ｍｍ）の値は、ｄ線における値である。後述する実施例２以降も同様である。
【００８１】
（面データ）
Ｓ           ｒ           ｄ           ｎｄ         νｄ         θｇＦ
1          56.940      1.000         2.00100       29.13         0.599
2          36.792      5.556         1.49700       81.61
3        -249.387      0.100
4          33.029      4.032         1.55032       75.50
5         244.915      D5(可変)
6*        -96.074      0.600         1.72903       54.04
7*         15.124      6.166
8         -14.649      0.600         1.49700       81.61
9          50.720      0.100
10         49.218      1.727         2.00272       19.32
11       -493.913      D11(可変) 
12(絞り)    INF        0.500 
13*        18.374      5.622         1.49710       81.56
14*       -15.390      0.277
15        -15.014      0.600         1.53996       59.46
16       -211.939      0.100
17         18.022      4.681         1.49700       81.61
18        -21.434      0.600         1.51633       64.14
19         14.460      D19(可変)
20*        14.556      3.816         1.49710       81.56
21*       -25.184      0.100
22         18.500      3.126         1.49700       81.61
23        -29.103      0.100
24       -108.794      1.716         1.72047       34.71
25         18.496      D25(可変)
26         22.662      0.600         1.68893       31.16
27          8.905      2.246
28         21.005      2.303         1.95375       32.32
29         77.543      6.808
30          INF        1.000         1.51680       64.20
31          INF        0.500
32(像面)    INF
【００８２】
（非球面データ）
円錐係数（ε）および非球面係数（Ｂ，Ｃ，Ｄ，Ｅ）
Ｓ      ε          Ｂ             Ｃ              Ｄ               Ｅ
6      1.0000    5.16750E-05   -5.13298E-07    4.99343E-09   -1.74364E-11
7      1.0000    2.93439E-05   -2.24518E-07   -1.94913E-10    4.93399E-11
13     1.0000   -2.16456E-05    1.26133E-07   -8.11304E-10    3.44390E-12
14     1.0000    1.11008E-05    1.99392E-07   -2.24859E-09    6.52172E-12
20     1.0000   -7.12010E-05    6.26643E-07   -1.50668E-08    1.41271E-10
21     1.0000    5.67683E-05    5.76870E-07   -1.28810E-08    1.40414E-10
【００８３】
（各種データ）
広角端      中間      望遠端
ｆ      9.27(fw)   21.21      48.50(ft)
FNo     1.44        1.60       1.68
２ω   56.1        23.9       10.4
像高    4.650       4.650      4.650
【００８４】
（可変間隔：変倍時）
広角端      中間       望遠端
ｆ      9.27       21.21       48.50
D5      1.169      14.107      24.252
D11    25.082      12.144       1.999
D19     5.027       2.890       3.045
D25     1.147       3.284       3.129
【００８５】
（各レンズ群データ）
群   始面-終面     焦点距離
１      1-5          49.65(f1)
２      6-11        -11.94(f2)
３     13-19         39.72(f3)
４     20-25         16.97
５     26-29       -101.05
【００８６】
図２は、実施例１にかかるズームレンズの諸収差図である。球面収差図において、ＦＮｏはＦナンバーを表し、実線はｄ線（５８７．６ｎｍ）、短破線はｇ線（４３５．８ｎｍ）、長破線はＣ線（６５６．３ｎｍ）、一点鎖線はＩＲ線（８５０．０ｎｍ）に相当する波長の特性を示している。非点収差図において、ωは半画角を表し、ｄ線に相当する波長の特性を示している。なお、非点収差図において、実線はサジタル方向（図中、Ｓで示す）、破線はタンジェンシャル方向（図中、Ｔで示す）の特性を示している。歪曲収差図において、ωは半画角を表し、ｄ線に相当する波長の特性を示している。後述する実施例２以降も同様である。
【実施例２】
【００８７】
図３は、実施例２にかかるズームレンズの構成を示す光軸に沿う断面図である。同図は、光学系の広角端の状態を示している。このズームレンズは、図示しない物体側から順に、正の屈折力を有する第１レンズ群Ｇ1と、負の屈折力を有する第２レンズ群Ｇ2と、正の屈折力を有する第３レンズ群Ｇ3と、負の屈折力を有する第４レンズ群Ｇ4と、正の屈折力を有する第５レンズ群Ｇ5と、が配置されて構成される。本実施例における後続レンズ群は、第４レンズ群Ｇ4から第５レンズ群Ｇ5を指す。本実施例にかかるズームレンズでは、第１レンズ群Ｇ1の光学構成や、開口絞りＳＴＯＰ、カバーガラスＣＧの配置位置は実施例１に示したズームレンズと同様である。本実施例では、実施例１と同様な部材には同一の符号を付すとともに、それらについての詳細な説明は省略する。
【００８８】
第２レンズ群Ｇ2は、物体側から順に、両凹負レンズＬ21と、像面ＩＭＧに凸面を向けた負メニスカスレンズＬ222と、両凸正レンズＬ23と、が配置されて構成される。負メニスカスレンズＬ222の両面には、非球面が形成されている。
【００８９】
第３レンズ群Ｇ3は、物体側から順に、両凸正レンズＬ31と、物体に凸面を向けた負メニスカスレンズＬ232と、両凸正レンズＬ33と、物体に凸面を向けた負メニスカスレンズＬ234と、両凸正レンズＬ235と、が配置されて構成される。両凸正レンズＬ31の両面には、非球面が形成されている。負メニスカスレンズＬ232と両凸正レンズＬ33、および負メニスカスレンズＬ234と両凸正レンズＬ235とは、それぞれ接合されている。
【００９０】
第４レンズ群Ｇ4は、物体側から順に、両凸正レンズＬ41と、両凹負レンズＬ242と、が配置されて構成される。両凸正レンズＬ41と両凹負レンズＬ242とは、接合されている。
【００９１】
第５レンズ群Ｇ5は、物体側から順に、両凸正レンズＬ251と、像面ＩＭＧに凸面を向けた負メニスカスレンズＬ252と、が配置されて構成される。両凸正レンズＬ251の両面には、非球面が形成されている。
【００９２】
本実施例のズームレンズでは、第２レンズ群Ｇ2を光軸に沿って物体側から像面ＩＭＧ側へ単調に移動させることによって、広角端から望遠端への変倍を行う。また、変倍に伴う焦点位置の補正および合焦は、第４レンズ群Ｇ4を光軸に沿って像面ＩＭＧに凸の軌跡を描くように移動させることによって行う（以上、図中の実線矢印を参照）。第１レンズ群Ｇ1、開口絞りＳＴＯＰ、第３レンズ群Ｇ3、第５レンズ群Ｇ5は、常時固定されている。
【００９３】
以下、実施例２にかかるズームレンズに関する各種数値データ（光学諸元表）を示す。
【００９４】
（面データ）
Ｓ           ｒ           ｄ           ｎｄ         νｄ         θｇＦ
1         67.9917      0.9000        2.00100       29.13         0.599
2         38.8850      5.7599        1.55032       75.50
3       -196.7426      0.1500
4         33.0964      3.9584        1.59282       68.62
5        175.2196      D5(可変)
6       -190.4642      0.8000        1.78590       43.93
7         12.0827      4.9716
8*       -14.0526     0.9000         1.49710       81.56
9*     -1267.1132     0.2000
10       131.1220     3.2692         1.98612       16.48
11       -70.7609     D11(可変)
12(絞り)   INF        1.0000
13*       16.7948      4.3753        1.53504       55.71
14*      -75.3544     0.2000
15         20.7733     0.7000        1.71300       53.94
16         11.7276     5.7603        1.49700       81.61
17        -26.5551     0.2000
18         95.5054     0.7000        1.72047       34.71
19          9.6826     4.2942        1.59282       68.62
20        -76.6666     D20(可変)
21        119.4912     2.4059        1.98612       16.48
22        -51.1527     0.7000        1.72047       34.71
23          8.7795      D23(可変)
24*        14.6996     3.3323        1.83441       37.28
25*       -16.7550     0.6330
26        -15.3756     0.8000        1.98612       16.48
27       -100.0000     4.0000
28          INF        1.0000       1.51680       64.20
29          INF        1.0000
30(像面)    INF
【００９５】
（非球面データ）
円錐係数（ε）および非球面係数（Ｂ，Ｃ，Ｄ，Ｅ）
Ｓ      ε          Ｂ             Ｃ              Ｄ               Ｅ
8      1.000    1.07580E-04   -2.44675E-06   2.54736E-08   -1.87402E-10
9      1.000    5.19283E-05   -2.56800E-06   2.98289E-08   -1.80385E-10
13     1.000   -1.15357E-05   -1.90724E-07   5.61883E-09   -4.46888E-11
14     1.000    8.05813E-05   -2.11229E-07   6.73373E-09   -5.46816E-11
24     1.000    5.52937E-05    9.46141E-07  -1.12582E-08    7.11898E-10
25     1.000    7.74824E-05   -8.70105E-07   3.60148E-08   -6.94272E-11
【００９６】
（各種データ）
広角端      中間      望遠端
ｆ      9.2697(fw)  22.6139    48.5023(ft)
FNo     1.4496       1.5099     1.6475
２ω   56.1         22.2       10.4
像高    4.650        4.650      4.650
【００９７】
（可変間隔：変倍時）
広角端      中間      望遠端
ｆ       9.2697      22.6139    48.5023
D5       1.8251      16.5681    25.5625
D11     25.9374      11.1944     2.2000
D20      2.0016       4.5079     3.6589
D23      5.2258       2.7194     3.5685
【００９８】
（各レンズ群データ）
群   始面-終面     焦点距離
１      1-5        49.0233(f1)
２      6-11      -12.0419(f2)
３     13-20       15.171(f3)
４     21-23      -14.8366
５     24-27       17.8426
【実施例３】
【００９９】
図５は、実施例３にかかるズームレンズの構成を示す光軸に沿う断面図である。本実施例にかかるズームレンズの光学構成は、第２レンズ群Ｇ2において両凹負レンズＬ21の像面ＩＭＧ側に両凹負レンズＬ322が配置されていること、第５レンズ群Ｇ5において最も像面ＩＭＧ側に両凹負レンズＬ352が配置されていること以外、実施例２に示したズームレンズと同様である。よって、本実施例では、実施例２と同様な部材には同一の符号を付すとともに、それらについての詳細な説明は省略する。
【０１００】
以下、実施例３にかかるズームレンズに関する各種数値データ（光学諸元表）を示す。
【０１０１】
（面データ）
Ｓ           ｒ           ｄ           ｎｄ         νｄ         θｇＦ
1         73.6302       0.9000      2.00100        29.13         0.599
2         41.4337       6.1256      1.55032        75.50
3       -203.7238       0.1500
4         34.9759       4.0571      1.59282        68.62
5        193.2130       D5(可変)
6        -84.7693       0.8000      1.80610        40.73
7         12.9721       4.0456
8*       -15.6708       0.9000      1.49710        81.56
9*        84.9418       0.2000
10        55.3621       1.8303      1.98612        16.48
11     -137.0012        D11(可変)
12(絞り)   INF          1.0000
13*       25.5503       3.5643      1.55332        71.68
14*      -39.6782       0.2000
15        37.5990       0.7000      1.48749        70.44
16        11.7837       5.8565      1.55032        75.50
17       -25.5561       0.2000
18       360.3157       0.7000      1.72047        34.71
19        10.6030       4.9374      1.59282        68.62
20       -26.3128       D20(可変)
21       492.1932       1.8763      1.98612        16.48
22       -25.1929       0.7000      1.72047        34.71
23         8.2165       D23(可変)
24*       12.5735       3.5001      1.69350        53.20
25*      -16.7402       0.3628
26       -23.4607       0.8000      1.95906        17.47
27       234.6173       4.0590
28          INF         1.0000      1.51680        64.20
29          INF         1.0000
30(像面)    INF
【０１０２】
（非球面データ）
円錐係数（ε）および非球面係数（Ｂ，Ｃ，Ｄ，Ｅ）
Ｓ      ε          Ｂ             Ｃ              Ｄ               Ｅ
8     1.000    8.61705E-05   -1.68985E-06    1.19417E-08   -4.42891E-11
9     1.000    4.26534E-05   -1.99283E-06    2.13795E-08   -1.09614E-10
13    1.000   -3.31995E-05   -7.13003E-08    1.63401E-09   -1.88538E-11
14    1.000    6.86641E-05   -1.84077E-09    1.85305E-09   -1.38008E-11
24    1.000    2.19328E-05    1.31826E-06   -3.44963E-08    8.04727E-10
25    1.000    1.05652E-04   -2.43940E-07   -8.93308E-09    4.43852E-10
【０１０３】
（各種データ）
広角端      中間      望遠端
ｆ     9.2698(fw)   22.6131    48.5046(ft)
FNo    1.4434         1.4986     1.5957
２ω  56.0           22.2        10.4
像高   4.650          4.650       4.650
【０１０４】
（可変間隔：変倍時）
広角端      中間      望遠端
ｆ      9.2698      22.6131    48.5046
D5      4.4290      19.1574    28.1687
D11    25.9397      11.2113     2.2000
D20     2.0005       4.1629     3.9686
D23     5.1658       3.0033     3.1976
【０１０５】
（各レンズ群データ）
群   始面-終面     焦点距離
１     1-5         51.9632(f1)
２     6-11       -11.6769(f2)
３    13-20        13.8911(f3)
４    21-23       -13.4149
５    24-27        18.6522
【実施例４】
【０１０６】
図７は、実施例４にかかるズームレンズの構成を示す光軸に沿う断面図である。本実施例にかかるズームレンズの光学構成は、第２レンズ群Ｇ2において最も像面ＩＭＧ側に物体に凸面を向けた正メニスカスレンズＬ423が配置されていること以外、実施例１に示したズームレンズと同様である。よって、本実施例では、実施例１と同様な部材には同一の符号を付すとともに、それらについての詳細な説明は省略する。
【０１０７】
以下、実施例４にかかるズームレンズに関する各種数値データ（光学諸元表）を示す。
【０１０８】
（面データ）
Ｓ           ｒ           ｄ           ｎｄ         νｄ         θｇＦ
1          58.513       1.000        2.00069        25.46         0.614
2          41.578       5.308        1.49700        81.61
3        -169.869       0.100 
4          32.374       3.420        1.49700        81.61
5         111.308       D5(可変)
6*       -125.905      0.600         1.72916        54.67
7*         15.089       6.539 
8         -15.444       0.600        1.48749        70.45
9          45.451       0.100 
10         43.178       1.542        2.00272        19.32
11       3374.681       D11(可変)
12(絞り)    INF         0.500
13*        17.484       5.464        1.49700        81.61
14*       -16.391       0.532 
15        -15.107       0.600        1.51680        64.20
16       -102.026       0.100 
17         14.614       4.095        1.55032        75.50
18        -41.478       0.600        1.72916        54.68
19         13.397       D19(可変)
20*        15.126       3.403        1.55032        75.50
21*       -28.333       0.100 
22         16.950       3.232        1.55032        75.50
23        -26.853       0.100 
24       -112.948       0.600        1.63980        34.57
25         16.211       D25(可変)
26         29.616       0.600        1.68893        31.16
27          8.998       2.256 
28         22.232       2.589        2.00100        29.13
29         88.688       7.042 
30           INF        1.000        1.51680        64.20
31           INF        0.500
32(像面)     INF
【０１０９】
（非球面データ）
円錐係数（ε）および非球面係数（Ｂ，Ｃ，Ｄ，Ｅ）
Ｓ      ε          Ｂ             Ｃ              Ｄ               Ｅ
6      1.0000     4.03848E-05  -4.85062E-07   4.96091E-09   -1.70381E-11
7      1.0000     2.29043E-05  -2.50886E-07  -7.79199E-10    5.68794E-11
13     1.0000    -1.74695E-05   1.52365E-07  -3.49226E-10    2.84567E-12
14     1.0000     9.87527E-06   1.69296E-07  -1.37105E-09   -6.52019E-13
20     1.0000    -6.27669E-05   3.61633E-07  -5.54633E-09    6.18821E-11
21     1.0000     6.62403E-05   3.78958E-07  -3.44161E-09    6.80576E-11
【０１１０】
（各種データ）
広角端      中間      望遠端
ｆ       9.27(fw)    21.21      48.50(ft)
FNo      1.44         1.58       1.72
２ω    56.1         24.0       10.5
像高     4.650        4.650      4.650
【０１１１】
（可変間隔：変倍時）
広角端      中間      望遠端
ｆ       9.27       21.21       48.50
D5       1.342      15.209      25.904
D11     26.368      12.501       1.806
D19      5.346       3.367       3.120
D25      1.424       3.402       3.649
【０１１２】
（各レンズ群データ）
群   始面-終面     焦点距離
１      1-5           53.30(f1)
２      6-11         -12.54(f2)
３     13-19          43.27(f3)
４     20-25          14.80
５     26-29         -65.62
【実施例５】
【０１１３】
図９は、実施例５にかかるズームレンズの構成を示す光軸に沿う断面図である。本実施例にかかるズームレンズの光学構成は、第３レンズ群Ｇ3において両凸正レンズＬ31の像面ＩＭＧ側に両凹負レンズＬ532が配置されていること以外、実施例４に示したズームレンズと同様である。よって、本実施例では、実施例４と同様な部材には同一の符号を付すとともに、それらについての詳細な説明は省略する。
【０１１４】
以下、実施例５にかかるズームレンズに関する各種数値データ（光学諸元表）を示す。
【０１１５】
（面データ）
Ｓ           ｒ           ｄ           ｎｄ         νｄ         θｇＦ
1          65.747      1.000        1.91082        35.25         0.582
2          34.189      5.455        1.49700        81.61
3        -278.000      0.100
4          32.755      4.158        1.55032        75.50
5         955.270      D5(可変) 
6*        -80.143      0.600        1.75500        52.33
7*         14.286      3.223
8         -22.420      0.691        1.51680        64.20
9          29.586      0.751
10         28.034      3.500        2.00069        25.46
11        381.277      D11(可変) 
12(絞り)   INF        0.500
13*        19.474      4.324        1.49700        81.61
14*       -13.786      0.304
15        -12.308      0.800        1.48749        70.45
16         44.250      0.679
17         17.305      4.878        1.53775        74.70
18        -13.004      0.600        1.51823        58.96
19         16.296      D19(可変) 
20*        16.279      3.467        1.59282        68.63
21*       -21.075      0.100
22         15.964      3.404        1.49700        81.61
23        -21.386      0.100
24        -31.880      0.600        1.72342        37.99
25         17.673      D25(可変) 
26         36.172      0.600        1.72047        34.71
27          9.585      2.066
28         20.147      3.500        1.90043        37.37
29        176.000      6.574
30           INF       1.000        1.51680        64.20
31           INF       0.500
32(像面)     INF
【０１１６】
（非球面データ）
円錐係数（ε）および非球面係数（Ｂ，Ｃ，Ｄ，Ｅ）
Ｓ      ε          Ｂ             Ｃ              Ｄ               Ｅ
6     1.0000     3.17243E-05   -4.63917E-07    5.18688E-09   -2.29913E-11
7     1.0000     2.32921E-05   -3.91673E-07    4.36158E-09   -4.82963E-12
13    1.0000    -3.48845E-05   -1.22708E-07    1.23879E-09   -2.73066E-11
14    1.0000    -1.24292E-05   -1.39579E-07    1.40920E-09   -3.89910E-11
20    1.0000    -5.57301E-05   -3.75683E-07    9.66524E-09   -6.93667E-11
21    1.0000     6.69359E-05   -3.27845E-07    1.04886E-08   -4.81554E-11
【０１１７】
（各種データ）
広角端      中間      望遠端
ｆ      9.27(fw)     20.12      43.65(ft)
FNo     1.64          1.71       1.63
２ω   56.3          25.1       11.5
像高    4.650         4.650      4.650
【０１１８】
（可変間隔：変倍時）
広角端      中間      望遠端
ｆ       9.27       20.12       43.65
D5       1.182      14.922      26.108
D11     28.109      14.369       3.183
D19      2.700       1.600       2.811
D25      1.536       2.636       1.426
【０１１９】
（各レンズ群データ）
群   始面-終面     焦点距離
１      1-5          50.96(f1)
２      6-11        -14.64(f2)
３     13-19         55.00(f3)
４     20-25         15.58
５     26-29        -90.92
【実施例６】
【０１２０】
図１１は、実施例６にかかるズームレンズの構成を示す光軸に沿う断面図である。本実施例にかかるズームレンズの光学構成は、第２レンズ群Ｇ2において両凹負レンズＬ21の像面ＩＭＧ側に両凹負レンズＬ622が配置されていること、第３レンズ群Ｇ3において両凸正レンズＬ235の物体側に両凹負レンズＬ634が接合されていること以外、実施例２に示したズームレンズと同様である。よって、本実施例では、実施例２と同様な部材には同一の符号を付すとともに、それらについての詳細な説明は省略する。
【０１２１】
以下、実施例６にかかるズームレンズに関する各種数値データ（光学諸元表）を示す。
【０１２２】
（面データ）
Ｓ           ｒ           ｄ           ｎｄ         νｄ         θｇＦ
1         77.5835      0.9000      2.00100         29.13         0.599
2         42.5334      5.7944      1.59282         68.62
3       -412.7060      0.1500
4         40.9409      4.0812      1.59282         68.62
5        273.0927      D5(可変)
6        -41.8797      0.8000      1.78590         43.93
7         12.5126      3.5799
8*       -18.3784     0.9000       1.53504         55.71
9*        59.8198     0.4196
10        62.3886     1.8887       1.98612         16.48
11       -86.1023     D11(可変)
12(絞り)    INF       1.0000
13*       29.4524     3.9491       1.55332         71.68
14*      -29.9233     1.5744
15        44.3163     0.7000       1.51680         64.20
16        13.3652     6.1700       1.55032         75.50
17       -21.9200     0.2000
18      -381.0159     0.7000       1.72047         34.71
19        11.9637     4.5330       1.59282         68.62
20       -35.7675     D20(可変)
21        71.0824     1.6103       2.00272         19.32
22       -98.1172     0.7000       1.78590         43.93
23         9.5196     D23(可変)
24*       12.3128    4.0144        1.53504         55.71
25*      -10.4362    0.3306
26       -14.2626    0.8000        1.80809         22.76
27      -100.0000    4.0000
28          INF      1.0000        1.51680         64.20
29          INF      1.0000
30(像面)    INF
【０１２３】
（非球面データ）
円錐係数（ε）および非球面係数（Ｂ，Ｃ，Ｄ，Ｅ）
Ｓ      ε          Ｂ             Ｃ              Ｄ               Ｅ
8     1.000     9.34719E-05   -1.05382E-06   -4.83469E-10    6.77411E-11
9     1.000     2.05955E-05   -1.75622E-06    1.52242E-08   -8.21062E-11
13    1.000    -3.83330E-05   -9.07303E-08    2.42166E-09   -1.53545E-11
14    1.000     5.08776E-05   -5.41701E-08    2.65442E-09   -1.08276E-11
24    1.000     4.42008E-05    8.13709E-07   -5.35597E-11    5.73124E-10
25    1.000     2.87340E-04   -1.32195E-06    5.67028E-08   -3.48745E-10
【０１２４】
（各種データ）
広角端      中間      望遠端
ｆ      9.2699(fw)  22.6129    48.6085(ft)
FNo     1.5920       1.7051     1.7479
２ω   56.1         22.3       10.3
像高    4.650        4.650      4.650
【０１２５】
（可変間隔：変倍時）
広角端      中間      望遠端
ｆ      9.2699      22.6129    48.6085
D5      5.4336      21.8372    31.9077
D11    29.0128      12.6092     2.5387
D20     2.0011       5.6975     8.6572
D23     8.7570       5.0606     2.1009
【０１２６】
（各レンズ群データ）
群   始面-終面     焦点距離
１      1-5        58.9766(f1)
２      6-11      -10.8499(f2)
３     13-20       15.1909(f3)
４     21-23      -15.4319
５     24-27       21.2216
【実施例７】
【０１２７】
図１３は、実施例７にかかるズームレンズの構成を示す光軸に沿う断面図である。同図は、光学系の広角端の状態を示している。このズームレンズは、図示しない物体側から順に、正の屈折力を有する第１レンズ群Ｇ1と、負の屈折力を有する第２レンズ群Ｇ2と、正の屈折力を有する第３レンズ群Ｇ3と、正の屈折力を有する第４レンズ群Ｇ4と、負の屈折力を有する第５レンズ群Ｇ5と、正の屈折力を有する第６レンズ群Ｇ6と、が配置されて構成される。本実施例における後続レンズ群は、第４レンズ群Ｇ4から第６レンズ群Ｇ6を指す。第６レンズ群Ｇ6と像面ＩＭＧとの間にはカバーガラスＣＧが配置されている。カバーガラスＣＧは、必要に応じて配置される。本実施例にかかるズームレンズでは、第１レンズ群Ｇ1、第４レンズ群Ｇ4の光学構成や、開口絞りＳＴＯＰの配置位置は実施例１に示したズームレンズと同様である。本実施例では、実施例１と同様な部材には同一の符号を付すとともに、それらについての詳細な説明は省略する。
【０１２８】
第２レンズ群Ｇ2は、物体側から順に、両凹負レンズＬ21と、像面ＩＭＧに凸面を向けた負メニスカスレンズＬ722と、両凸正レンズＬ23と、が配置されて構成される。両凹負レンズＬ21の両面には、非球面が形成されている。
【０１２９】
第３レンズ群Ｇ3は、物体側から順に、両凸正レンズＬ31と、像面ＩＭＧに凸面を向けた負メニスカスレンズＬ32と、物体に凸面を向けた正メニスカスレンズＬ733と、物体に凸面を向けた負メニスカスレンズＬ734と、が配置されて構成される。両凸正レンズＬ31の両面には、非球面が形成されている。正メニスカスレンズＬ733と負メニスカスレンズＬ734とは、接合されている。
【０１３０】
第５レンズ群Ｇ5は、物体に凸面を向けた負メニスカスレンズＬ51のみで構成される。
【０１３１】
第６レンズ群Ｇ6は、物体に凸面を向けた正メニスカスレンズＬ61のみで構成される。
【０１３２】
本実施例のズームレンズでは、広角端から望遠端への変倍の際に、第２レンズ群Ｇ2を光軸に沿って物体側から像面ＩＭＧ側へ単調に移動させ、第４レンズ群Ｇ4を光軸に沿って物体側に凸の軌跡を描くように移動させ、また第５レンズ群Ｇ5を光軸に沿って像面ＩＭＧ側から物体側へ単調に移動させる（以上、図中の実線矢印を参照）。また、無限遠物体から近距離物体への合焦の際、第４レンズ群Ｇ4を光軸に沿って物体側に移動させることにより行う。第１レンズ群Ｇ1、開口絞りＳＴＯＰ、第３レンズ群Ｇ3、第６レンズ群Ｇ6は、常時固定されている。
【０１３３】
以下、実施例７にかかるズームレンズに関する各種数値データ（光学諸元表）を示す。
【０１３４】
（面データ）
Ｓ           ｒ           ｄ           ｎｄ         νｄ         θｇＦ
1          62.043       1.000        2.00100       29.13         0.599
2          40.007       4.737        1.49700       81.61
3        -250.562       0.100 
4          33.298       3.448        1.55032       75.50
5         178.700       D5(可変) 
6*        -77.134       0.600        1.72903       54.04
7*         14.783       8.023 
8         -12.639       0.654        1.49700       81.61
9        -203.813       0.100 
10       1002.051       1.291        2.00272       19.32
11        -49.626       D11(可変) 
12(絞り)    INF         0.500
13*        18.277       5.112        1.49710       81.56
14*       -16.394       0.356 
15        -16.142       0.600        1.69680       55.46
16        -61.021       0.100 
17         16.134       2.901        1.49700       81.61
18        265.835       0.600        1.51742       52.15
19         12.955       D19(可変) 
20*        16.932       3.211        1.49710       81.56
21*       -27.462       0.100 
22         22.250       5.133        1.49700       81.61
23        -23.244       0.483 
24       -170.973       0.600        1.72047       34.71
25         15.660       D25(可変) 
26         15.421       0.660        1.68893       31.16
27          9.083       D27(可変) 
28         22.804       2.625        1.95375       32.32
29         45.593       6.784 
30           INF        1.000        1.51680       64.20
31           INF        0.500
32(像面)     INF
【０１３５】
（非球面データ）
円錐係数（ε）および非球面係数（Ｂ，Ｃ，Ｄ，Ｅ）
Ｓ      ε          Ｂ             Ｃ              Ｄ               Ｅ
6     1.0000     6.59328E-05   -6.63359E-07    5.97425E-09   -1.92961E-11
7     1.0000     2.90415E-05   -3.34172E-07   -5.93458E-10    5.10168E-11
13    1.0000    -1.16519E-05    1.11601E-07    4.88121E-11   -2.27433E-13
14    1.0000     1.55327E-05    1.08887E-07   -8.25715E-10   -1.13304E-13
20    1.0000    -4.41834E-05    2.48810E-07   -4.05015E-09    4.69917E-11
21    1.0000     6.93531E-05    2.31374E-07   -2.48644E-09    4.75012E-11
【０１３６】
（各種データ）
広角端      中間      望遠端
ｆ      9.27(fw)    21.20       48.50(ft)
FNo     1.55         1.73        1.88
２ω   55.7         24.0        10.5
像高    4.650        4.650       4.650
【０１３７】
（可変間隔：変倍時）
広角端      中間       望遠端
ｆ      9.27        21.20       48.50
D5      1.508       15.294      25.662
D11    26.249       12.463       2.095
D19     7.728        4.995       3.729
D25     1.018        3.426       3.369
D27     2.280        2.604       3.928
【０１３８】
（各レンズ群データ）
群   始面-終面     焦点距離
１      1-5         52.89(f1)
２      6-11       -12.63(f2)
３     13-19        42.60(f3)
４     20-25        19.93
５     26-27       -33.51
６     28-29        45.29
【０１３９】
以下に上記各実施例における光学系諸数値と条件式の対応表を示す。
【０１４０】
（光学系諸数値）
条件式に関連する値
実施例１       実施例２       実施例３       実施例４      実施例５
f1           49.65          49.02          51.96          53.30          50.96
f2          -11.94         -12.04         -11.68         -12.54         -14.64
f3n    -16.63,-29.96     -41.52         -36.54      -34.39,-13.82  -19.66,-13.86
frw          18.14          19.68          18.68          18.51           17.67
f3           39.72          15.17          13.89          43.27           55.00
fw            9.27           9.27           9.27           9.27            9.27
（f3nの値が２つある実施例は、該当するレンズが２枚あることを意味する）
【０１４１】
（光学系諸数値）
実施例６       実施例７
f1           58.98          52.89
f2          -10.85         -12.63
f3n         -38.17       -31.67,-26.34
frw          24.00          18.81
f3           15.19          42.60
fw            9.27           9.27
（f3nの値が２つある実施例は、該当するレンズが２枚あることを意味する）
【０１４２】
（条件式）
実施例１    実施例２    実施例３    実施例４     実施例５
(1)νd#3nmax   64.14        53.94        70.44        64.20        70.45
(2)νd#3pave   81.59        68.65        71.93        78.56        78.16
(3)f1/f2       -4.16        -4.07        -4.45        -4.25        -3.48
(4)νd#3n   64.14,59.46     53.94        70.44     64.20,54.68    70.45,58.96
(5)f3n/frw -0.917,-1.652    -2.11        -1.96    -1.858,-0.747  -1.113,-0.784
(6)f3/fw       4.28          1.64         1.50         4.67         5.93
(7)νd#1pave   78.56        72.06        72.06        81.61        78.56
(8)fw/frw      0.511         0.471        0.496        0.501        0.525
(9)θgF#1n     0.599         0.599        0.599        0.614        0.582
（条件式(4),(5)の値が２つある実施例は、条件式(4),(5)を満足するレンズが２枚あることを意味する）
【０１４３】
（条件式）
実施例６      実施例７
(1)νd#3nmax     64.20          55.46
(2)νd#3pave     71.93          81.59
(3)f1/f2         -5.44          -4.19
(4)νd#3n        64.20       55.46,52.15
(5)f3n/frw       -1.591      -1.684,-1.400
(6)f3/fw          1.64           4.60
(7)νd#1pave     68.62          78.56
(8)fw/frw         0.386          0.493
(9)θgF#1n        0.599          0.599
（条件式(4),(5)の値が２つある実施例は、条件式(4),(5)を満足するレンズが２枚あることを意味する）
【０１４４】
また、上記各非球面形状は、面頂点を原点とし、光軸に垂直方向の座標をＨ、Ｈにおける光軸方向の変位量をＸ（Ｈ）、近軸曲率半径をＲ、円錐係数をε、４次，６次，８次，１０次の非球面係数をそれぞれＢ，Ｃ，Ｄ，Ｅとし、像面方向への変位を正とするとき、以下に示す式により表される。なお、面形状および屈折力の符号は、非球面が含まれているものについては、近軸領域で考えるものとする。
【０１４５】
【数１】
2020109430.tif 000003
【０１４６】
以上説明したように、上記各実施例のズームレンズは、高画素、高感度化が進んだ固体撮像素子を備えた撮像装置であっても、画質の低下を招くことがなく、十分に対応可能である。特に、上記条件式を満足することにより、可視光域から近赤外域までの広範な波長の光に対して発生する諸収差を全変倍域に亘って良好に補正することが可能な、高解像力を備えた大口径のズームレンズを実現することができる。また、適宜非球面が形成されたレンズを配置したことにより、収差補正能力をより向上させることができる。
【０１４７】
＜適用例＞
次に、本発明にかかるズームレンズを撮像装置に適用した例を示す。図１５は、本発明にかかるズームレンズを備えた撮像装置の一例を示す図である。図１５に示すように、撮像装置１００は、レンズ鏡筒部１１０と、カメラ１２０と、からなる。レンズ鏡筒部１１０は、ズームレンズ１１１が収容される。ズームレンズ１１１は、図示しない駆動機構の駆動によって、変倍や合焦が実行される。また、カメラ１２０は、固体撮像素子１２１を備えている。図１５では、ズームレンズ１１１として実施例１（図１を参照）のものを示したが、実施例２〜７に示したズームレンズであっても同様に撮像装置１００に搭載可能である。
【０１４８】
ズームレンズ１１１と固体撮像素子１２１とを備えた撮像装置１００において、図１に示した像面ＩＭＧが固体撮像素子１２１の撮像面に相当する。固体撮像素子１２１としては、たとえば、ＣＣＤやＣＭＯＳセンサなどの光電変換素子を用いることができる。
【０１４９】
撮像装置１００において、ズームレンズ１１１の物体側から入射した光が最終的に固体撮像素子１２１の撮像面に結像する。そして、固体撮像素子１２１は受像した光を光電変換して電気信号として出力する。この出力信号が図示しない信号処理回路によって演算処理され、物体像に対応したデジタル画像が生成される。デジタル画像は、たとえばＨＤＤ（Ｈａｒｄ Ｄｉｓｋ Ｄｅｖｉｃｅ）やメモリカード、光ディスク、磁気テープなどの記録媒体に記録することが可能である。
【０１５０】
以上のように、本発明にかかるズームレンズを備えることにより、可視光域から近赤外域までの広範な波長の光に対して発生する諸収差を全変倍域に亘って良好に補正することが可能になり、可視光域から近赤外域までの広範な波長域の光に対して高い解像力を備えた高性能の撮像装置１００を実現することができる。
【０１５１】
本発明にかかるズームレンズは、監視カメラのみならず、ビデオカメラ、デジタルスチルカメラ、一眼レフカメラ、ミラーレス一眼カメラ等に用いることも可能である。
【産業上の利用可能性】
【０１５２】
以上のように、本発明にかかるズームレンズは、ＣＣＤやＣＭＯＳ等の固体撮像素子が搭載された撮像装置に有用であり、特に、高い光学性能を要求される撮像装置に適している。
【符号の説明】
【０１５３】
Ｇ1  第１レンズ群
Ｇ2  第２レンズ群
Ｇ3  第３レンズ群
Ｇ4  第４レンズ群
Ｇ5  第５レンズ群
Ｇ6  第６レンズ群
Ｌ11, Ｌ32，Ｌ51，Ｌ222，Ｌ232，Ｌ234，Ｌ252，Ｌ722，Ｌ734  負メニスカスレンズ
Ｌ12，Ｌ23，Ｌ31，Ｌ33，Ｌ41，Ｌ42，Ｌ235，Ｌ251  両凸正レンズ
Ｌ13，Ｌ52，Ｌ61，Ｌ423，Ｌ733  正メニスカスレンズ
Ｌ21，Ｌ22，Ｌ34，Ｌ43，Ｌ242，Ｌ322，Ｌ532，Ｌ622，Ｌ634  両凹負レンズ
ＳＴＯＰ  開口絞り
ＣＧ  カバーガラス
ＩＭＧ  像面
１００  撮像装置
１１０  レンズ鏡筒部
１１１  ズームレンズ
１２０  カメラ
１２１  固体撮像素子
【図１】
2020109430.tif 000004
【図２】
2020109430.tif 000005
【図３】
2020109430.tif 000006
【図４】
2020109430.tif 000007
【図５】
2020109430.tif 000008
【図６】
2020109430.tif 000009
【図７】
2020109430.tif 000010
【図８】
2020109430.tif 000011
【図９】
2020109430.tif 000012
【図１０】
2020109430.tif 000013
【図１１】
2020109430.tif 000014
【図１２】
2020109430.tif 000015
【図１３】
2020109430.tif 000016
【図１４】
2020109430.tif 000017
【図１５】
2020109430.tif 000018